(57)【要約】【課題】フードを防止に確実に固定することができ、しかも固定後の首振り動作をスムーズに行える衣服及びフードを提供する。【解決手段】ツバ部２を有する帽子を覆うことができるフード３を備えるとともに、前記フード３を帽子に固定するための固定手段４を備えた衣服において、前記固定手段４が、前記フード３に基端部が取り付けられた連結部８と、該連結部８の先端部に取り付けられ、前記ツバ部２に係止連結される係止部９とを備え、帽子着用者の首振り動作に連動して前記連結部８が前記基端部側の支点Ｔを中心に左右に振れる構造を備えた。【選択図】図３
2011006819.tif 000002
【特許請求の範囲】
【請求項１】
ツバ部を有する帽子を覆うことができるフードを備えるとともに、前記フードを帽子に固定するための固定手段を備えた衣服において、
前記固定手段が、前記フードに基端部が取り付けられた連結部と、該連結部の先端部に取り付けられ、前記ツバ部に係止連結される係止部とを備え、帽子着用者の首振り動作に連動して前記連結部が前記基端部側の支点を中心に左右に振れる構造を備えていることを特徴とする衣服。
【請求項２】
前記連結部が伸縮自在な部材からなり、該連結部の基端部が、前記フードの内側で、かつ、該フードの先端から該フードの頭頂部側に寄った位置に連結され、該連結部の先端部が前記係止部に連結されていることを特徴とする請求項１記載の衣服。
【請求項３】
前記連結部がゴム紐からなり、該ゴム紐の両端部を前記フードに固定することにより該ゴム紐を輪状に構成したことを特徴とする請求項１又は２記載の衣服。
【請求項４】
係止部の前端が前記フードの前端よりも後方側に位置していることを特徴とする請求項２又は３に記載の衣服。
【請求項５】
前記フードに対する前記連結部の基端部の位置が、帽子を被った着用者の顔よりも前方に位置していることを特徴とする請求項１〜４のいずれか１項に記載の衣服。
【請求項６】
前記係止部が、前記ツバ部を厚み方向から挟持する一対の挟持部を備えた挟持部材からなり、該挟持部材が、前記輪状に構成されたゴム紐の輪状部に係止することにより該ゴム紐に連結されるフック部を備えたことを特徴とする請求項３〜５のいずれか１項に記載の衣服。
【請求項７】
請求項１〜６のいずれか１項に記載のフード。
【発明の詳細な説明】
【技術分野】
【０００１】
本発明は、ツバ部を有する帽子を覆うことができるフードを備えるとともに、前記フードを帽子に固定するための固定手段を備えた衣服及びフードに関する。
【背景技術】
【０００２】
従来、例えば雨避けのために、フードを帽子の上から被せて使用し、使用中に風を受けてフードが帽子から外れることがないようにフードを帽子に固定するための固定手段を備えたものが多数提案されている。
【０００３】
かかる固定手段の一例として、フード本体から庇被覆部を延出し、庇被覆部に帽子のツバ部を挿入することができるポケットを構成し、そのポケットにツバ部が差し込まれることによりツバ部と庇被覆部との間に風が入らないようにすることで、風の影響を受けて庇被覆部がツバ部から外れることがないようにしている（例えば、特許文献１参照）。
【０００４】
また、他の例として、ツバ部の一部を挟み込む左右一対の挟持部材をフードに備えさせ、それら挟持部材によってフードをツバ部に固定するものがある（例えば、特許文献２参照）。
【先行技術文献】
【特許文献】
【０００５】
【特許文献１】登録実用新案第３０４４３８９号公報（図１〜図３参照）
【特許文献２】登録実用新案第３０９０９７１号公報（図１〜図３参照）
【発明の概要】
【発明が解決しようとする課題】
【０００６】
特許文献１の構成では、ツバ部の左右の幅寸法、ツバ部の前後の長さ寸法、ツバ部の湾曲形状などによっては、ツバ部をポケットに挿入することができない場合があるだけでなく、ポケットに対してツバ部が小さな場合に、ツバ部をポケットに十分に固定することができず、風の影響を受けて庇被覆部のポケットがツバ部から外れてしまうことがあった。
また、ポケットにツバ部が整然と納まっている状態では、例えば帽子着用者が首を左右に振る際に、首振りに追随する帽子の動きがフードによって妨げられることから、首振りがスムーズに行えない不都合もあった。
【０００７】
また、特許文献２の構成では、左右一対の挟持部材により帽子にフードが完全に固定された状態になってしまうため、例えば帽子着用者が首を左右に振る際に、首振りに追随する帽子の動きがフードによって妨げられることから、首振りがスムーズに行えない不都合があった。
【０００８】
本発明が前述の状況に鑑み、解決しようとするところは、フードを防止に確実に固定することができ、しかも固定後の首振り動作をスムーズに行える衣服及びフードを提供することを課題とする。
【課題を解決するための手段】
【０００９】
本発明の衣服は、前述の課題解決のために、ツバ部を有する帽子を覆うことができるフードを備えるとともに、前記フードを帽子に固定するための固定手段を備えた衣服において、前記固定手段が、前記フードに基端部が取り付けられた連結部と、該連結部の先端部に取り付けられ、前記ツバ部に係止連結される係止部とを備え、帽子着用者の首振り動作に連動して前記連結部が前記基端部側の支点を中心に左右に振れる構造を備えていることを特徴としている。
【００１０】
上記のように、帽子着用者が左右に首を振る首振り動作に連動して連結部が基端部側の支点を中心に左右に振れる構造を備えることによって、フードとは無関係に帽子を左右方向に振ることができるから、帽子着用者の首の左右の動きに負担をかけることがなく、左右の首振り動作をスムーズに行うことができる。また、ツバ部に係止連結される係止部によって、ツバ部の左右の幅寸法、ツバ部の前後の長さ寸法、ツバ部の湾曲形状などに拘束されることなく、ツバ部にフードを係止部により確実に固定できる。
【００１１】
また、本発明の衣服は、前記連結部が伸縮自在な部材からなり、該連結部の基端部が、前記フードの内側で、かつ、該フードの先端から該フードの頭頂部側に寄った位置に連結され、該連結部の先端部が前記係止部に連結されていてもよい。
【００１２】
また、本発明の衣服は、前記連結部がゴム紐からなり、該ゴム紐の両端部を前記フードに固定することにより該ゴム紐を輪状に構成してもよい。
【００１３】
また、本発明の衣服は、係止部の前端が前記フードの前端よりも後方側に位置していてもよい。
【００１４】
また、本発明の衣服は、前記フードに対する前記連結部の基端部の位置が、帽子を被った着用者の顔よりも前方に位置していてもよい。
【００１５】
また、本発明の衣服は、前記係止部が、前記ツバ部を厚み方向から挟持する一対の挟持部を備えた挟持部材からなり、該挟持部材が、前記輪状に構成されたゴム紐の輪状部に係止することにより該ゴム紐に連結されるフック部を備えていてもよい。
【００１６】
また、本発明は、請求項１〜６のいずれか１項に記載のフードにも適用できる。
【発明の効果】
【００１７】
ツバ部に係止連結される係止部によって、ツバ部にフードを確実に固定することができながらも、帽子着用者の左右の首振り動作に連動して連結部が基端部側の支点を中心に左右に振れる構造を備えることによって、帽子着用者の首の動きに負担をかけることがなく、首振り動作をスムーズに行うことができる衣服及びフードを提供することができる。
【図面の簡単な説明】
【００１８】
【図１】本発明の釣り用上着に備えているフードを着用者の帽子に被せて両者を固定した状態を示す斜視図である。
【図２】固定手段の具体的構成を示す縦断側面図である。
【図３】首振り動作に連動して連結部が左右に振れている状態を示す平面図である。
【発明を実施するための形態】
【００１９】
以下、本発明の実施の形態を図面に基づいて説明する。
図１に、本発明の衣服としての釣り用上着１を示している。この釣り用上着１は、着用者が被ったツバ部２付き帽子の全体を覆うことができるフード２を備えるとともに、フード３を帽子のツバ部２に固定する固定手段４をフード３に備えている。
【００２０】
前記釣り用上着１は、胴体を覆う身頃部５と、左右の腕を覆う左右の袖部６，６と、首の全周囲を覆うことができる襟部７とを備えている。
【００２１】
前記固定手段４は、図２に示すように、前記フード３から延出された連結部としてのゴム紐８と、該ゴム紐８の先端部に取り付けられ、前記ツバ部２に係止連結される係止部９とを備えている。
【００２２】
前記ゴム紐８は、断面形状が円形の一本のゴム紐からなり、そのゴム紐８の両端部を纏めてフード３の内側で、かつ、フード３の先端からフードの頭頂部側に設定距離寄った位置でフード３内に押し込んで縫い付けることによって、着用者の頭部の中心から前後方向に伸縮自在な輪状のゴム紐に構成されている。
【００２３】
前記係止部９は、図２に示すように、ツバ部２を厚み方向（図では上下方向）から挟持する板状で長方形状の上下一対の挟持部９ａ，９ｂを備えた挟持部材９Ａから構成されている。前記挟持部９ａ，９ｂは、それらが同一側（前）端が上下方向の縦板部９ｃによって連結されるとともに、下側の挟持部９ｂが上側の挟持部９ａから離間する側へ変形することができるようにバネ性を備えている。従って、帽子着用者が係止部９をツバ部２に係止する際に、下側の挟持部９ｂのバネ性によって、挟持部９ａ，９ｂの距離を大きく上回る厚みのツバ部２であっても、下側の挟持部９ｂが上側の挟持部９ａから離間することで一対の挟持部９ａ，９ｂがツバ部２を良好に挟持してフード３をツバ部２に確実に固定することができる。
【００２４】
また、前記挟持部材９Ａには、ゴム紐８に係止してゴム紐８を係止部９に連結するための弾性変形自在なフック部９Ｂを備えている。このフック部９Ｂは、前記上側の挟持部９ａのゴム紐８側端（後端）から上方に突出した縦板部と、この縦板部の上端から挟持部９ａの長手方向の中央部付近の上面に向かうように前下がり傾斜方向へ延出された傾斜板部とからなっている。そして、ゴム紐８の輪状部８Ａを傾斜板部の先端と挟持部９ａの上面との間から係止することによって、ゴム紐８の輪状部８Ａを係止部９に連結することができる。
【００２５】
前記のように構成された帽子着用者が、固定手段４を用いてフード３をツバ部２に固定する手順について説明する。
釣り用上着１を着用した着用者は、ツバ部２を有する帽子を被り、その帽子の全体をフード３で覆う。この状態で、帽子着用者は、係止部９を持って上下の挟持部９ａ，９ｂの後端の開放端をツバ部２の前端の左右中央部に位置させてから挟持部９ａ，９ｂをツバ部２側へ移動させることにより、挟持部９ａ，９ｂがツバ部２の上下を挟持して固定する。
【００２６】
そして、前記のように挟持部９ａ，９ｂがツバ部２の左右中央部の一箇所で挟持させるとともにゴム紐８が取付部Ｔを支点として左右に振れる構造になっていることから、帽子着用者が首を左右に振ったときに、図３に２点鎖線と破線で示すように、帽子の動きに対してフード３が追従することがないから、帽子着用者は、フードから左右の首振り動作を妨げようとする抵抗を受けることなく帽子のツバ部２を一体的に左右にスムーズに振ることができる。つまり、帽子着用者の左右方向の首振り動作に連動して連結部８が基端部側の支点Ｔを中心に左右に振れる構造を固定手段４が備えていることから、帽子着用者は、左右方向の首の動きに負担をかけられることがなく、首振り動作をスムーズに行うことができる。
【００２７】
しかも、連結部を伸縮自在なゴム紐８から構成するとともにゴム紐８の輪状部８Ａをフック部９Ｂに多少の移動を許容する状態で係止していることから、輪状部８Ａとフック部９Ｂとの融通部の他に、ゴム紐８の伸び縮み作用を有していることによって、首振り動作をより一層スムーズに行うことができる利点がある。また、ゴム紐８により係止部９を後方側へ付勢する、つまりツバ部２に係止部９が食い込む側へ係止部９を付勢することになるため、係止部９がツバ部２からより一層外れ難くできる利点もある。
【００２８】
また、図２に示すように、前記係止部９の前端９Ｆが、前記フード３の前端３Ｆよりも後方側に位置していることで、フード３から係止部９が突出することがない。従って、フード３から係止部９が突出する構成に比べて意匠感を高めることができ、商品価値の優れたものにできる。また、係止部９に連結された連結部８がゴム紐で構成されているため、ツバ部２がフード３から前方へ突出するような寸法である場合でも、ゴム紐が伸びることでツバ部２に係止部９を確実に係止することができる利点がある。
【００２９】
また、前記フード３に対する前記連結部８の基端部８Ｂの位置が、帽子を被った着用者の顔Ｇよりも前方に位置していることによって、顔Ｇよりも後方に連結部８の基端部８Ｂを位置させる場合に比べて、連結部８の長さを短くすることができ、コスト面において有利になる。しかも、連結部８が短いため、係止部９を直ちに見つけ出すことができるだけでなく、取扱面においても有利になる。更に、連結部８の長さを短くしても連結部８が伸縮することにより、前述のようにツバ部２に係止部９を確実に係止することができる。
【００３０】
尚、本発明は、上記実施形態に限定されるものではなく、本発明の要旨を逸脱しない範囲で種々の変更が可能である。
【００３１】
例えば、前記実施形態では、帽子本体を構成するクラウン部の底部周縁の一部にツバ部を備えた野球帽を示したが、クラウン部の底部周縁の全域に渡ってツバ部を備えさせたハット型の帽子にも適応することができる。
【００３２】
また、前記実施形態では、連結部を伸縮性と可撓性を備えたゴム紐から構成したが、伸縮性と可撓性を備えた部材、例えば筒状の蛇腹部を備えた合成樹脂材料であってもよく、伸縮性と可撓性を備えていればどのような材料で構成してもよい。また、場合によっては、連結部を基端部側の支点を中心に左右に振れる構成を備えていれば、連結部を硬質性材料から構成することもできる。更に、連結部が、硬質性材料から構成され、かつ、フードに固定された固定側部材と、この固定側部材の先端部とツバ部側に係止連結される係止部とを連結するためのゴム等からなる伸縮部材とから構成することもできる。
【００３３】
また、前記実施形態では、合成樹脂でなる挟持部材がツバ部を挟持することでフードをツバ部に固定する構成を示したが、係止部を面ファスナーから構成し、その面ファスナーが係止可能となるようにツバ部を毛羽立つ材料で構成する、又はツバ部側に前記面ファスナーに係止する第２の面ファスナーを縫い付けて実施してもよい。尚、ツバ部を毛羽立つ材料で構成したり、第２の面ファスナーを縫い付ける場合は、ツバ部にそれぞれ加工を施さなければならない煩わしさがある。
【符号の説明】
【００３４】
１…釣り用上着、２…ツバ部、３…フード、３Ｆ，９Ｆ…前端、４…固定手段、５…身頃部、６…袖部、７…襟部、８…ゴム紐（連結部）、８Ａ…輪状部、８Ｂ…基端部、９…係止部、９Ａ…挟持部材、９Ｂ…フック部、９ａ…挟持部、９ｂ…挟持部、９ｃ…縦板部、Ｇ…顔、Ｔ…支点（取付部）
【図１】
2011006819.tif 000003
【図２】
2011006819.tif 000004
【図３】
2011006819.tif 000005